【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  所定の数のサンプルを単位として符号化する符号化装置において、
複数の音声データを符号化する場合、それぞれの音声データをまとめて１つの音声データとし、そのまとめた音声データを、前記所定の数のサンプルを単位として、順次符号化する符号化手段と、
前記符号化手段により符号化された符号化データの符号化単位で、前記符号化データに、前記複数の音声データの区切りに対応する区切りを設定する設定手段と
を含むことを特徴とする符号化装置。
【請求項２】
前記符号化手段は、
注目する第１の音声データの次に符号化すべき第２の音声データが、前記第１の音声データに続けて符号化する必要がある場合は、前記第１の音声データのうちの未だ符号化されていない余りのサンプルと、前記第２の音声データの先頭からの所定数のサンプルとからなる前記所定の数のサンプルで符号化する
ことを特徴とする請求項１に記載の符号化装置。
【請求項３】
前記符号化手段は、
注目する第１の音声データの次に符号化すべき第２の音声データが、前記第１の音声データに続けて符号化する必要がない場合は、前記第１の音声データのうちの未だ符号化されていない余りのサンプルと、所定数の０とからなる前記所定の数のサンプルで符号化する
ことを特徴とする請求項１に記載の符号化装置。
【請求項４】  所定の数のサンプルを単位として符号化する符号化装置の符号化方法において、
複数の音声データを符号化する場合、それぞれの音声データをまとめて１つの音声データとし、そのまとめた音声データを、前記所定の数のサンプルを単位として、順次符号化する符号化ステップと、
前記符号化ステップの処理で符号化された符号化データの符号化単位で、前記符号化データに、前記複数の音声データの区切りに対応する区切りを設定する設定ステップと
を含むことを特徴とする符号化方法。
【請求項５】  所定の数のサンプルを単位として符号化する符号化処理用のプログラムであって、
複数の音声データを符号化する場合、それぞれの音声データをまとめて１つの音声データとし、そのまとめた音声データを、前記所定の数のサンプルを単位として、順次符号化する符号化ステップと、
前記符号化ステップの処理で符号化された符号化データの符号化単位で、前記符号化データに、前記複数の音声データの区切りに対応する区切りを設定する設定ステップと
を含むことを特徴とするコンピュータが読み取り可能なプログラムが格納されているプログラム格納媒体。
【請求項６】  所定の数の符号を単位として復号する復号装置において、
第１の符号化データと第２の符号化データの関係を判定する判定手段と、
前記判定手段の判定結果に対応して、前記第１の符号化データおよび前記第２の符号化データを１つの符号化データとして、当該１つの符号化データを、所定の数の符号を単位として復号する復号手段と
を含むことを特徴とする復号装置。
【請求項７】
前記判定手段が、前記第２の符号化データを前記第１の符号化データに続けて復号すべきであると判定すると、
前記復号手段は、前記第１の符号化データを復号して得られた第１の復号データの最後の所定数のサンプルと、前記第２の符号化データを復号して得られた第２の復号データの先頭からの所定数のサンプルとを加算することにより、最終的な復号データを生成する
ことを特徴とする請求項６に記載の復号装置。
【請求項８】
前記判定手段が、前記第２の符号化データを前記第１の符号化データに続けて復号すべきでないと判定すると、
前記復号手段は、初期化の処理を実行した後、前記第２の符号化データを復号する
ことを特徴とする請求項６に記載の復号装置。
【請求項９】  所定の数の符号を単位として復号する復号装置の復号方法において、
第１の符号化データと第２の符号化データの関係を判定する判定ステップと、
前記判定ステップの処理での判定結果に対応して、前記第１の符号化データおよび前記第２の符号化データを１つの符号化データとして、当該１つの符号化データを、所定の数の符号を単位として復号する復号ステップと
を含むことを特徴とする復号方法。
【請求項１０】  所定の数の符号を単位として復号する復号装置の復号方法において、
第１の符号化データと第２の符号化データの関係を判定する判定ステップと、
前記判定ステップの処理での判定結果に対応して、前記第１の符号化データおよび前記第２の符号化データを１つの符号化データとして、当該１つの符号化データを、所定の数の符号を単位として復号する復号ステップと
を含むことを特徴とするコンピュータが読み取り可能なプログラムが格納されているプログラム格納媒体。
【手続補正２】
【補正対象書類名】明細書
【補正対象項目名】００１９
【補正方法】変更
【補正の内容】
【００１９】
請求項４に記載の符号化方法は、複数の音声データを符号化する場合、それぞれの音声データをまとめて１つの音声データとし、そのまとめた音声データを、所定の数のサンプルを単位として、順次符号化する符号化ステップと、符号化ステップの処理で符号化された符号化データの符号化単位で、符号化データに、複数の音声データの区切りに対応する区切りを設定する設定ステップとを含むことを特徴とする。
【手続補正３】
【補正対象書類名】明細書
【補正対象項目名】００２０
【補正方法】変更
【補正の内容】
【００２０】
請求項５に記載のプログラム格納媒体のプログラムは、複数の音声データを符号化する場合、それぞれの音声データをまとめて１つの音声データとし、そのまとめた音声データを、所定の数のサンプルを単位として、順次符号化する符号化ステップと、符号化ステップの処理で符号化された符号化データの符号化単位で、符号化データに、複数の音声データの区切りに対応する区切りを設定する設定ステップとを含むことを特徴とする。
【手続補正４】
【補正対象書類名】明細書
【補正対象項目名】００２１
【補正方法】変更
【補正の内容】
【００２１】
請求項６に記載の復号装置は、第１の符号化データと第２の符号化データの関係を判定する判定手段と、判定手段の判定結果に対応して、第１の符号化データおよび第２の符号化データを１つの符号化データとして、当該１つの符号化データを、所定の数の符号を単位として復号する復号手段とを含むことを特徴とする。
【手続補正５】
【補正対象書類名】明細書
【補正対象項目名】００２２
【補正方法】変更
【補正の内容】
【００２２】
請求項９に記載の復号方法は、第１の符号化データと第２の符号化データの関係を判定する判定ステップと、判定ステップの処理での判定結果に対応して、第１の符号化データおよび第２の符号化データを１つの符号化データとして、当該１つの符号化データを、所定の数の符号を単位として復号する復号ステップとを含むことを特徴とする。
【手続補正６】
【補正対象書類名】明細書
【補正対象項目名】００２３
【補正方法】変更
【補正の内容】
【００２３】
請求項１０に記載のプログラム格納媒体のプログラムは、第１の符号化データと第２の符号化データの関係を判定する判定ステップと、判定ステップの処理での判定結果に対応して、第１の符号化データおよび第２の符号化データを１つの符号化データとして、当該１つの符号化データを、所定の数の符号を単位として復号する復号ステップとを含むことを特徴とする。
【手続補正７】
【補正対象書類名】明細書
【補正対象項目名】００２４
【補正方法】変更
【補正の内容】
【００２４】
請求項１に記載の符号化装置、請求項４に記載の符号化方法、および請求項５に記載のプログラム格納媒体においては、複数の音声データを符号化する場合、それぞれの音声データをまとめて１つの音声データとし、そのまとめた音声データが、所定の数のサンプルを単位として、順次符号化され、符号化された符号化データの符号化単位で、符号化データに、複数の音声データの区切りに対応する区切りが設定される。
【手続補正８】
【補正対象書類名】明細書
【補正対象項目名】００２５
【補正方法】変更
【補正の内容】
【００２５】
請求項６に記載の復号装置、請求項９に記載の復号方法、および請求項１０に記載のプログラム格納媒体においては、第１の符号化データと第２の符号化データの関係が判定され、判定結果に対応して、第１の符号化データおよび第２の符号化データを１つの符号化データとして、当該１つの符号化データが、所定の数の符号を単位として復号される。
【手続補正９】
【補正対象書類名】明細書
【補正対象項目名】０１２１
【補正方法】変更
【補正の内容】
【０１２１】
【発明の効果】
請求項１に記載の符号化装置、請求項４に記載の符号化方法、および請求項５に記載のプログラム格納媒体によれば、複数の音声データを符号化する場合、それぞれの音声データをまとめて１つの音声データとし、そのまとめた音声データが、所定の数のサンプルを単位として、順次符号化され、符号化された符号化データの符号化単位で、符号化データに、複数の音声データの区切りに対応する区切りが設定されるようにしたので、聴視者に違和感を与えない、符号化データを得ることができるようになる。
【手続補正１０】
【補正対象書類名】明細書
【補正対象項目名】０１２２
【補正方法】変更
【補正の内容】
【０１２２】
請求項６に記載の復号装置、請求項９に記載の復号方法、および請求項１０に記載のプログラム格納媒体によれば、第１の符号化データと第２の符号化データの関係が判定され、判定結果に対応して、第１の符号化データおよび第２の符号化データを１つの符号化データとして、当該１つの符号化データが、所定の数の符号を単位として復号されるようにしたので、聴視者に違和感を与えずに符号化データを復号できるようになる。